(57)【特許請求の範囲】
【請求項１】
第一放送波を受信する第一アンテナから前記第一放送波を受信して、所望の放送局を選局して検波する第一選局・検波部と、前記第一選局・検波部の出力信号から第一トランスポートデータストリームを復調する第一復調・誤り訂正部とを備える第一チューナー部と、
第二放送波を受信する第二アンテナから前記第二放送波を受信して、所望の放送局を選局して検波する第二選局・検波部と、前記第二選局・検波部の出力信号から第二トランスポートデータストリームを復調する第二復調・誤り訂正部とを備える第二チューナー部と、
前記第一チューナー部が設けられて前記第一トランスポートデータストリームの信号経路が形成されている第一配線パターン層と、前記第二チューナー部が設けられて前記第二トランスポートデータストリームの信号経路が形成されている第二配線パターン層と、前記第一配線パターン層と前記第二配線パターン層との間にそれぞれ絶縁層を挟んで形成されることで前記第一チューナー部及び前記第二チューナー部の不要輻射ノイズを遮蔽する、少なくとも二層のグランド層とよりなる基板と、
前記第一チューナー部と前記前記第二チューナー部に接続され、前記第一トランスポートデータストリームと前記第二トランスポートデータストリームのいずれかを選択する経路制御部と、
前記経路制御部に接続されて音声信号と映像信号を出力する復号部と
を具備する受信装置。
【発明の詳細な説明】
【０００１】
本発明は、異なる複数の放送波をそれぞれ受信する複数のチューナー部を有する受信装置に関するものである。
【０００２】
【従来の技術】
近年、ＢＳ（Ｂｒｏａｄｃａｓｔｉｎｇ  Ｓａｔｅｌｌｉｔｅ）デジタル放送やＣＳ（Ｃｏｍｍｕｎｉｃａｔｉｏｎ  Ｓａｔｅｌｌｉｔｅ）デジタル放送といったデジタル放送が普及しようとしている。このような放送を受信するには、専用の受信装置をそれぞれ必要としている。この受信装置には例えばテレビジョン受像機が接続され、このテレビジョン受像機には、受信した放送波に基づいて音声や映像が表示される。近年、ＢＳ放送やＣＳ放送といった放送の提供事業者が急激に増加しており、１台の受信装置によって複数の放送を受信できることが望まれている。
【０００３】
このため、従来の受信装置の中には、複数の放送を受信する機能を有するチューナー装置を備えるものが存在している。このチューナー装置には、例えば受信した放送波に含まれる音声や映像に関する符号化されたデータを多重化したトランスポートストリームデータをそれぞれ出力する機能を有する複数のチューナー部が一体化されて設けられているものがある。従来のチューナー装置の構成としては、容易に製造できる点でこれら複数のチューナー部が１枚の基板の同一面に設けられていた。
【０００４】
【発明が解決しようとする課題】
ところが、チューナー装置がこの様な構成であるのは、複数のチューナー部をよりコンパクトにチューナー装置に収納できるという点では良いが、これらのチューナー部同士が近接しているため不要輻射ノイズの影響を受けるという問題がある。従って、複数のチューナー部は、それぞれ受信した映像や音声に関する放送波からビットエラーレート特性の良いトランスポートストリームデータを出力することができない場合があった。このような不要輻射ノイズの問題を防止するために複数のチューナー部間にシールドを設ける方法も考えられるが、部品点数が増加する上、シールド部品のコストがかかるという問題点があり、受信装置のコストが上昇してしまう問題点があった。また、これ以外にも、複数のチューナー部からそれぞれ引き回される配線パターンが基板の同一面上に存在すると、基板上における上記配線パターンのレイアウト設計が行いにくいという問題点もあった。
【０００５】
そこで本発明は上記課題を解決し、第１チューナー部及び第２チューナー部を１枚の基板に設けても、ビットエラーレート特性の良い２系統の第１トランスポートストリームデータ及び第２トランスポートストリームデータをそれぞれ出力することができる受信装置を提供することを目的としている。
【０００６】
上記課題を解決するために、本発明の受信装置は、第一放送波を受信する第一アンテナから第一放送波を受信して、所望の放送局を選局して検波する第一選局・検波部と、第一選局・検波部の出力信号から第一トランスポートデータストリームを復調する第一復調・誤り訂正部とを備える第一チューナー部と、第二放送波を受信する第二アンテナから第二放送波を受信して、所望の放送局を選局して検波する第二選局・検波部と、第二選局・検波部の出力信号から第二トランスポートデータストリームを復調する第二復調・誤り訂正部とを備える第二チューナー部と、第一チューナー部が設けられて第一トランスポートデータストリームの信号経路が形成されている第一配線パターン層と、第二チューナー部が設けられて第二トランスポートデータストリームの信号経路が形成されている第二配線パターン層と、第一配線パターン層と第二配線パターン層との間にそれぞれ絶縁層を挟んで形成されることで第一チューナー部及び第二チューナー部の不要輻射ノイズを遮蔽する、少なくとも二層のグランド層とよりなる基板と、第一チューナー部と第二チューナー部に接続され、第一トランスポートデータストリームと第二トランスポートデータストリームのいずれかを選択する経路制御部と、経路制御部に接続されて音声信号と映像信号を出力する復号部とを具備する。
【００１５】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１６】
図１は、本発明の好ましい実施形態としてのチューナー装置が適用されたチューナー装置１０を備える受信装置１の電気的な構成例を示すブロック図である。
この受信装置１は、例えばＢＳ（Ｂｒｏａｄｃａｓｔｉｎｇ  Ｓａｔｅｌｌｉｔｅ）デジタルやＣＳ（Ｃｏｍｍｕｎｉｃａｔｉｏｎ  Ｓａｔｅｌｌｉｔｅ）デジタル放送の高周波信号（以下単に「放送波」という）を受信する機能を有する。また、この受信装置１は、この放送波に含まれる符号化された映像や音声に関する符号化されたデータを復号し、接続されている図示しないテレビジョン受像機（表示装置）にその映像や音声を表示したり、さらにこれに加えて所定の情報記録媒体に記録する機能を有する。
【００１７】
次に、具体的な構成例を説明すると、受信装置１は、基板３４、第１アンテナ信号入力端子１５、第２アンテナ信号入力端子１７、チューナー装置１０、トランスポートストリーム経路制御部３（選択手段）、復号部５（復号手段）、音声出力端子３６（出力端子）及び映像出力端子３８（出力端子）を有し、好ましくは情報記録部（記録手段）７及びアンテナ信号出力端子１９を有する。尚、以下の説明では、トランスポートストリーム経路制御部をＴＳ経路制御部と省略する。
【００１８】
第１アンテナ信号入力端子１５には、第１アンテナ１１が接続されており、第２アンテナ入力端子１７には、第２アンテナ１３が接続されている。第１のアンテナ１１及び第２アンテナ１３は、それぞれ異なる放送、例えばＢＳデジタル放送の第１放送波２１及び、例えばＣＳデジタル放送の第２放送波２２を受信する機能を有する。
【００１９】
チューナー装置１０は、上記第１アンテナ信号入力端子１５、アンテナ信号出力端子１９及び第２アンテナ入力端子１７が設けられており、上記第１放送波２１及び第２放送波２２が入力される。また、チューナー装置１０は、ＴＳ経路制御部３に接続されており、異なる２系統のトランスポートストリーム出力としての第１トランスポートストリームデータ２９及び第２トランスポートストリームデータ３１を、ＴＳ経路制御部３に出力する。第１トランスポートストリームデータ２９及び第２トランスポートストリームデータ３１は、それぞれデジタル放送において複数番組の映像や音声等を多重する際に用いられるデータ形式であり、第１放送波２１及び第２放送波２２に含まれる映像や音声に関する多重化されたデータである。これらの第１トランスポートストリームデータ２９及び第２トランスポートストリームデータ３１は、それぞれ符号化されているデータである。
【００２０】
ＴＳ経路制御部３は、さらに復号部５及び情報記録部７に接続されている。このＴＳ経路制御部３は、第１トランスポートストリームデータ２９及び第２トランスポートストリームデータ３１をそれぞれ復号部５に出力するか、情報記録部７に出力して記録するかを選択する。従って、ＴＳ経路制御部３は、例えば第１トランスポートストリームデータ２９を情報記録部７に記録しつつ、第２トランスポートストリームデータ３１を復号部５にて復号したり、その逆の処理を行うことができる。つまり、受信装置１は、例えば第１放送波２１に含まれる映像及び音声をテレビジョン受像機に表示しつつ、第２放送波２２に含まれる映像及び音声に関する符号化されたデータを情報記録部７に記録したり、その逆の処理を行うことができる。
【００２１】
この復号部５は、それぞれ符号化されている第１トランスポートストリームデータ２９及び第２トランスポートストリームデータ３１を復号化する機能を有する。具体的には、この復号部５は、例えばＭＰＥＧ（Ｍｏｖｉｎｇ  Ｐｉｃｔｕｒｅ  Ｅｘｐｅｒｔｓ  Ｇｒｏｕｐ）２に従って復号を行う機能を有する。そしてその後、第１トランスポートストリームデータ２９及び第２トランスポートストリームデータ３１は、それぞれ例えばＮＴＳＣ（Ｎａｔｉｏｎａｌ  Ｔｅｌｅｖｉｓｉｏｎ  Ｓｙｓｔｅｍ  Ｃｏｍｉｔｔｅｅ）方式に基づいてエンコードされることで映像データや音声データに変換される。この復号部５には、受信装置１の外部に露出する映像出力端子３８及び音声出力端子３６が接続されており、これらの映像出力端子３８及び音声出力端子３６からは、それぞれ例えば上記ＮＴＳＣ方式の映像データ及び音声データが出力される。これらの映像データ及び音声データは、それぞれ図示しないテレビジョン受像機の映像入力端子及び音声入力端子に入力されることで、そのテレビジョン受像機は映像や音声を出力することができる。
【００２２】
図２（Ａ）は、図１のチューナー装置１０を表面から見た場合の構成例を示す平面図であり、図２（Ｂ）は、図２（Ａ）のチューナー装置１０を正面から見た場合の構成例を示す平面図である、また、図２（Ｃ）は、図２（Ａ）のチューナー装置１０を背面から見た場合の構成例を示す平面図であり、図２（Ｄ）は、図２（Ａ）のチューナー装置１０を側面から見た場合の構成例を示す側面断面図である。また、図２（Ｅ）は、図２（Ａ）のチューナー装置１０を裏面から見た場合の構成例を示す平面図である。尚、図２（Ａ）及び図２（Ｅ）にて点線で示されている部材は、基板３４の裏側にあるものとする。
【００２３】
チューナー装置１０は、上述のように第１アンテナ信号入力端子１５、アンテナ信号出力端子１９及び第２アンテナ入力端子１７を有し、第１チューナー部２３、第１配線パターン４０、第１出力端子２６、第２チューナー部２５、第２配線パターン４２、第２出力端子２７及び基板３４を有する。
【００２４】
第１チューナー部２３及び第２チューナー部２５は、それぞれ異なる放送波を受信する点及びそれらの配置を除いてほぼ同様の機能であるので、主に第１チューナー部２３の機能について説明する。第１チューナー部２３は、上述のように受信した第１放送波２１に含まれる映像や音声に関する復号化されたデータを多重化して第１トランスポートストリームデータ２９を生成する機能を有する。この第１トランスポートストリームデータ２９は、第１配線パターン４０によって伝送され第１出力端子２６から出力される。同様に、第２トランスポートストリームデータ３１は、第２配線パターン４２によって伝送され第２出力端子２７から出力される。
【００２５】
ここで、このチューナー装置１０において特徴的なことは、第１チューナー部２３が基板３４の一方の面に設けられており、第２チューナー部２５が基板３４の他方の面に設けられていることである。このようにすると、チューナー装置１０は、基板３４の存在により、第１チューナー部２３から出力される第１トランスポートストリームデータ２９及び第２トランスポートストリームデータ３１がそれぞれ伝送される際に近接することがなく、互いに不要輻射ノイズの影響を受けないようにすることができる。ここで、この基板３４は、絶縁性を有する材質であり、例えばガラスエポキシ基材を材質としている。
【００２６】
また、第１チューナー部２３及び第２チューナー部２５は、基板３４を挟んで対向しないように配置することが好ましい。つまり、第１チューナー部２３及び第２チューナー部２５は、基板３４を挟んで対向しないようにずらして配置されることになる。このようにすると、チューナー装置１０は、さらに不要輻射ノイズが影響しないようにすることができる。また、第１チューナー部２３及び第２チューナー部２５は、図３（Ａ）や図３（Ｂ）にそれぞれ示すように基板３４の両端近傍にそれぞれ設けられるようにしても良い。このようにすると、チューナー装置１０は上記と同様の効果を発揮することができる。
【００２７】
また、受信装置１は、第１チューナー部２３及び第２チューナー部２５と同様に、第１配線パターン４０及び第２配線パターン４２が基板３４の異なる面にそれぞれ設けられており、基板３４の同一面で交差することがない。このため、第１配線パターン４０及び第２配線パターン４２は、基板３４の異なる面に形成しやすくなる。このように第１配線パターン４０及び第２配線パターン４２を基板３４の異なる面にそれぞれ設けるようにすると、第１配線パターン４０及び第２配線パターン４２のレイアウト設計が行いやすいという利点もある。
【００２８】
ここで、上記アンテナ出力端子１９は、例えば図２（Ａ）に示すように第１アンテナ信号入力端子１５に電気的に接続されており、かつ第２アンテナ入力端子１７とアンテナ出力端子１９を別途外付けケーブル等で短絡することで、第１アンテナ１１が受信する第１放送波２２を第２チューナー部２５に入力するようにしても良い。つまり、第１チューナー部２３及び第２チューナー部２５には、同一の放送波が入力されるようにしても良い。
【００２９】
また、この基板３４は、以下のような構成である基板３４ａであっても良い。つまり、基板３４ａは、図４の断面図に示すように第１配線パターン４０が形成された第１配線パターン層４１、第２配線パターン４２が形成された第２配線パターン層４３及びそれら第１配線パターン層４１及び第２配線パターン層４３に挟み込まれる絶縁層４７を有し、その絶縁層４７には、少なくとも１層のグランド層４５（接地層）が形成されている。このグランド層４５は、第１チューナー部２３及び第２チューナー部２５の不要輻射ノイズを遮蔽する機能を有する。このグランド層４５の材質としては、例えば銅箔を材質としている。
【００３０】
この様な構成とすると、チューナー装置１０は、第１チューナー部２３が出力する第１トランスポートストリームデータ２９及び、第２チューナー部２５が出力する第２トランスポートストリームデータ３１が互いに不要輻射ノイズの影響を受けることがなくなる。
【００３１】
また、この基板３４は、以下のような構成である基板３４ｂであっても良い。つまり、基板３４ｂは、図５の断面図に示すように下層から、第２配線パターン４２が形成された第２配線パターン層４３、第２絶縁層４９、第２グランド層４５ｂ、中間絶縁層５０、第１グランド層４５ａ、第１絶縁層４８及び第２配線パターン４２が形成された第２配線パターン層４３及び、第１配線パターン４０が形成された第１配線パターン層４１を有する。ここで、中間絶縁層５０、第１絶縁層４８及び第２絶縁層４９は、それぞれ上記絶縁層４７と同様の材質である。
【００３２】
第１グランド層４５ａ及び第２グランド層４５ｂは、それぞれ第１チューナー部２３及び第２チューナー部２５からの不要輻射ノイズを遮蔽する機能を有する。この第１グランド層４５ａ及び第２グランド層４５ｂの材質としては、それぞれ例えば銅箔である。これは、信号を伝送する信号線の材質についても同様である。
【００３３】
基板３４が基板３４ｂのような構成であると、第１グランド層４５ａ及び第２グランド層４５ｂは、第１チューナー部２３及び第２チューナー部２５からの不要輻射ノイズをさらに効率的に遮蔽することができる。
【００３４】
また、基板３４ｂは、例えば図６に示すように第１配線パターン層４１及び第１グランド層４５ａが異なる面に形成された第１絶縁層４８を有する第１基板３４ｃと、第２配線パターン層４３及び第２グランド層４５ｂが異なる面に形成された第１絶縁層４９を有する第２基板３４ｄとで、中間絶縁層５０（第３絶縁層）を挟み込んで形成するようにしても良い。このように基板３４ｂを製造すると、基板３４ｂは容易に製造することができる。
【００３５】
図７は、図２（Ａ）の第１のチューナー部２３の電気的な概略構成例を示すブロック図である。尚、第２のチューナー部２５は、第１のチューナー部２３と電気的な構成においてほぼ同様であるので説明を省略する。
チューナー装置１０は、例えば選局・検波部５２及び復調・誤り訂正部５４を有する。
選局・検波部５２は、例えばアンプやＰＬＬ（Ｐｈａｓｅ  Ｌｏｃｋｅｄ  Ｌｏｏｐ）回路が設けられており、第１アンテナ信号入力端子１５から入力された第１放送波２１を選局、検波する機能を有する。この選局・検波部５２には、例えば圧電振動素子を有する発振器５６が設けられており、発振器５６が一定周期のクロック信号ＣＬＫを生成している。このクロック信号ＣＬＫは復調・誤り訂正部５４にも供給されており、選局・検波部５２及び復調・誤り訂正部５４は互いに同期が取られている。また、選局・検波部５２は、入力された第１放送波２１からＩ信号やＱ信号（以下「Ｉ／Ｑ信号」という）に復調し、このＩ／Ｑ信号６０を復調・誤り訂正部５４に出力する。
【００３６】
復調・誤り訂正部５４は、例えば図示しないＡ／Ｄ（Ａｎａｌｏｇ  Ｔｏ  Ｄｉｇｉｔａｌ）変換回路、ＱＰＳＫ（Ｑｕａｄｒａｔｕｒｅ  Ｐｈａｓｅ  Ｓｈｉｆｔ  Ｋｅｙｉｎｇ）復調回路及び誤り訂正（ＦＥＣ：Ｆｏｒｗａｒｄ  Ｅｒｒｏｒ  Ｃｏｒｒｅｃｔｉｏｎ）回路を有し、図示しない制御バスからの制御信号５９によって制御されている。この復調・誤り訂正部５４は、制御信号５７を選局・検波部５２に出力することで選局・検波部５２を制御する。また、この復調・誤り訂正部５４は、これと共に、ＡＧＣ（Ａｕｔｏｍａｔｉｃ  Ｇａｉｎ  Ｃｏｎｔｒｏｌ）信号５８を選局・検波部５２に出力することで、選局・検波部５２に入力される信号レベルが変化しても復調・誤り訂正部５４に入力されるＩ／Ｑ信号６０のレベルが一定になるようにＡＧＣ制御電圧を出力して、選局・検波部５２のアンプの利得を可変する機能をも有する。
【００３７】
Ａ／Ｄ変換回路は、入力されたＩ／Ｑ信号６０をＡ／Ｄ（Ａｎａｌｏｇ  ＴｏＤｉｇｉｔａｌ）変換を行う。また、ＱＰＳＫ復調回路は、符号化された圧縮情報のデータ列（ビット列）であるビットストリームをＱＰＳＫ復調する機能を有する。「ＰＳＫ」とは、情報を伝送するための高周波信号である放送波の位相を使用して情報を伝送する位相変調方式をいう。このＰＳＫには、例えばＢＰＳＫ、ＱＰＳＫ、８ＰＳＫが存在し、ここでは一例としてＱＰＳＫを採用している。このＱＰＳＫは、例えば１シンボル当たり２ビットの伝送が可能である。例えばＢＳデジタル放送では、８／４／２ＰＳＫ変調波を一定の時間間隔で多重して伝送する時分割多重方式が採用されている。
【００３８】
上記誤り訂正回路は、所定のレジスタを有し、そのレジスタに保持されたデータを誤り訂正符号を参照しながら書き換えることで、上記第１トランスポートストリームデータ２９や第２トランスポートストリームデータ３１のビット誤りを訂正する機能を有する。第１トランスポートストリームデータ２９や第２トランスポートストリームデータ３１のようなトランスポートストリームデータは、ビット誤り等が起こると予想される環境での伝送・蓄積に使用されるのに適している。
【００３９】
受信装置１は以上のような構成であり、次に図１〜図７を参照しつつその動作例について説明する。
図１の受信装置１は、複数の放送を受信する機能を有しており、例えば第１放送波２１及び第２放送波２２をそれぞれ第１アンテナ１１及び第２アンテナ１３によって受信する。受信された第１放送波２１及び第２放送波２２は、それぞれ第１アンテナ信号入力端子１５及び第２アンテナ信号入力端子１７からチューナー装置１０に入力される。図２に示すように、チューナー装置１０には、複数のチューナー部として例えば２つの第１チューナー部２３及び第２チューナー部２５が基板３４，３４ａ，３４ｂの異なる面にそれぞれ設けられている。
【００４０】
第１放送波２１及び第２放送波２２は、それぞれ第１チューナー部２３及び第２チューナー部２５に入力される。第１チューナー部２３及び第２チューナー部２５は、異なる放送波を処理する点を除いてほぼ同様の機能を有するので、以下の説明では、同一の機能の部分は主に第１チューナー部２３について説明する。図７の第１チューナー部２３では、入力された第１放送波２１が上述のように処理され、Ｉ／Ｑ信号６０が復調・誤り訂正部５４に出力される。復調・誤り訂正部５４では、制御信号５９の制御によってＩ／Ｑ信号６０をＡ／Ｄ変換し、さらにＱＰＳＫ変調等して、第１トランスポートストリームデータ２９を出力する。
【００４１】
この第１トランスポートストリームデータ２９は、図２（Ａ）に示すように基板３４，３４ａ，３４ｂの異なる面のいずれかに形成された第１配線パターン４０によって伝送される。一方、第２トランスポートストリームデータ３１は、図２（Ｅ）に示すように第１配線パターン４０が設けられている面とは異なる基板３４，３４ａ，３４ｂの面に形成された第２配線パターン４２によって伝送される。従って、第１配線パターン４０によって伝送される第１トランスポートストリームデータ２９と、第２配線パターン４２によって伝送される第２トランスポートストリームデータ３１とは、基板３４，３４ａ，３４ｂによって完全に分離されているので、互いに影響を受けることがなくなる。
【００４２】
そして、図１に示すように第１トランスポートストリームデータ２９及び第２トランスポートストリームデータ３１は、例えばＴＳ経路制御部３にて経路が選択され、情報記録部７に記録されたり、復号部５にて復号化されて音声出力端子３６や映像出力端子３８に出力される。また、情報記録部７に記録された第１トランスポートストリームデータ２９及び第２トランスポートストリームデータ３１は、それぞれＴＳ経路制御部３を通じて読み出され、復号部５で復号するようにしても良い。つまり、受信装置１は、例えばハードディスクである情報記録部７を用いたいわゆるビデオデッキのようなデータ記録再生装置の機能を実現することができ、それに記録された映像や音声を視聴者に視聴させることができる。
これらの音声出力端子３６及び映像出力端子３８には、それぞれ例えばテレビジョン受像機の図示しない音声入力端子及び映像入力端子に接続されている。このテレビジョン受像機の表示領域には、それら第１トランスポートストリームデータ２９及び／又は第２トランスポートストリームデータ３１に基づいて音声や映像が表示される。ここで、テレビジョン受像機は、その表示領域を縦や横等に分割して、複数の放送内容に関する映像をそれぞれ表示するようにしても良いことはいうまでもない。
【００４３】
本発明の好ましい実施形態によれば、図２（Ａ）に示すように第１チューナー部２３及び第２チューナー部２５は、基板３４，３４ａ，３４ｂの異なる面にそれぞれ設けられているので、お互いが出力する不要輻射ノイズの影響を受けにくくなる。しかも、このようなことは、複雑な構成を必要としないので安価に実現できる。また、上述の図３（Ａ）や図３（Ｂ）に示すように、第１チューナー部２３及び第２チューナー部２５は、基板３４，３４ａ，３４ｂの異なる面の両端近傍に配置されていると、第１チューナー部２３及び第２チューナー部２５の距離がさらに離れるので、互いにさらに不要輻射ノイズの影響を受けにくくなる。
さらに、チューナー装置１０は、第１チューナー部２３及び第２チューナー部２５が異なる面に設けられた基板３４が、図４に示す基板３４ａや図５に示す基板３４ｂのような構成であると、さらに第１チューナー部２３及び第２チューナー部２５は不要輻射ノイズの影響を受けにくくなる。
従って、本発明の好ましい実施形態によれば、第１チューナー部２３及び第２チューナー部２５を１枚の基板３４，３４ａ，３４ｂに設けても、出力としてビットエラーレート特性の良い２系統の第１トランスポートストリームデータ２９及び第２トランスポートストリームデータ３１をそれぞれ得ることができる。
【００４４】
ところで本発明は上述した実施形態に限定されるものではない。
また、上記実施形態の各構成は、その一部を省略したり、上記とは異なるように任意に組み合わせることができる。
【００４５】
以上説明したように、本発明によれば、第１チューナー部及び第２チューナー部を１枚の基板に設けても、ビットエラーレート特性の良い２系統の第１トランスポートストリームデータ及び第２トランスポートストリームデータをそれぞれ出力することができる受信装置を提供することができる。
【図面の簡単な説明】
【図１】本発明の好ましい実施形態としてのチューナー装置が適用されたチューナー装置を備える受信装置の電気的な構成例を示すブロック図。
【図２】図１のチューナー装置の構成例を示す平面図及び側面断面図。
【図３】基板における第１チューナー部及び第２チューナー部の配置例を示す平面図。
【図４】第１チューナー部及び第２チューナー部が設けられた基板の断面構成例を示す断面図。
【図５】第１チューナー部及び第２チューナー部が設けられた基板の断面構成例を示す断面図。
【図６】図５の基板の組み立て方法の一例を示す断面図。
【図７】図２（Ａ）の第１のチューナー部の電気的な概略構成例を示すブロック図。
【符号の説明】
１・・・受信装置、３・・・ＴＳ経路制御部（選択手段）、５・・・復号部（復号手段）、７・・・情報記録部（記録手段）、１０・・・チューナー装置、２１・・・第１放送波、２２・・・第２放送波、２３・・・第１チューナー部、２５・・・第２チューナー部、２９・・・第１トランスポートストリームデータ、３１・・・第２トランスポートストリームデータ、３４，３４ａ，３４ｂ・・・基板、３４ｃ・・・第１基板、３４ｄ・・・第２基板、３６・・・音声出力端子（出力端子）、３８・・・映像出力端子（出力端子）、４０・・・第１配線パターン、４１・・・第１配線パターン層、４２・・・第２配線パターン、４３・・・第２配線パターン層、４５・・・グランド層、４５ａ・・・第１グランド層、４５ｂ・・・第２グランド層、４７・・・絶縁層、４８・・・第１絶縁層、４９・・・第２絶縁層、５０・・・中間絶縁層（第３絶縁層）
【図１】
0004747409.tif 000002
【図２】
0004747409.tif 000003
【図３】
0004747409.tif 000004
【図４】
0004747409.tif 000005
【図５】
0004747409.tif 000006
【図６】
0004747409.tif 000007
【図７】
0004747409.tif 000008